(57)【特許請求の範囲】
【請求項１】
光平面（１８）を生成する光源（１２）、センサ（１４）、および前記光平面（１８）と前記センサ（１４）との間に位置する光学素子（２２）を有する測定システム（１０）を較正する方法であって、
前記センサ（１４）上の少なくとも１つの点から前記光平面（１８）内の少なくとも１つの点への写像を得るために実行される方法にして、
前記光平面（１８）が生成されるように前記光源（１２）をオンにする工程と；
前記光平面（１８）内の第１の写像位置に、直線を形成する少なくとも３つの点を含む写像較正プロファイル（２８）を導入する工程と；を含む、方法において、さらに、
前記写像較正プロファイル（２８）の前記少なくとも３つの点を使用することにより前記センサ（１４）の少なくとも第１の部分から前記光平面（１８）の少なくとも第１の部分への非線形写像を計算する工程と；
前記光平面（１８）内の第１の射影変換位置に、点間の相対的距離が予め決められた少なくとも４つの点を含む射影変換較正プロファイル（３２）を導入する工程と；
前記射影変換較正プロファイル（３２）の前記少なくとも４つの点に基づき、前記センサ（１４）の少なくとも第１の部分から前記光平面（１８）の少なくとも第１の部分への射影変換を計算する工程と；を含むことを特徴とする、方法。
【請求項２】
前記写像プロファイル（２８）の前記位置を連続的な写像位置へ変更する工程と；
前記非線形写像を計算するために前記連続的な写像位置のそれぞれからの前記写像較正プロファイル（２８）の前記少なくとも３つの点についての情報を使用する工程と、をさらに含む、請求項１に記載の方法。
【請求項３】
前記写像プロファイル（２８）の前記位置を複数の連続的な写像位置へ変更する工程は前記連続的な写像位置が無作為に選択されるように実行される、請求項２に記載の方法。
【請求項４】
前記射影変換プロファイル（３２）の前記位置を連続的な射影変換位置に変更する工程と；
前記射影変換を計算するために前記連続的な射影変換位置のそれぞれからの前記射影変換較正プロファイル（３２）の前記少なくとも４つの点についての情報を使用する工程と；をさらに含む、請求項１〜３のいずれか一項に記載の方法。
【請求項５】
前記射影変換プロファイル（３２）の前記位置を複数の連続的な射影変換位置へ変更する工程は、前記連続的な射影変換位置が無作為に選択されるように実行される、請求項４に記載の方法。
【請求項６】
前記写像較正プロファイル（２８）は前記少なくとも３つの点が置かれる平面を含む、請求項１〜５のいずれか一項に記載の方法。
【請求項７】
前記射影変換較正プロファイル（３２）は所定寸法を有する鋸歯状部分を含み、少なくとも４つの点が前記鋸歯状部分上に置かれる、請求項１〜６のいずれか一項に記載の方法。
【請求項８】
前記射影変換較正プロファイル（３２）はプロファイル較正面（Ｐ’）を形成する長手次元及び垂直次元に広がり、
前記プロファイル較正面（Ｐ’）は、前記射影変換プロファイル（３２）が射影変換位置にあるときに前記光平面（１８）とほぼ平行となるようにされ、
前記射影変換較正プロファイル（３２）はさらに前記プロファイル較正面（Ｐ’）にほぼ垂直な横方向次元（ｙ’）に広がり、
前記射影変換較正プロファイル（３２）はさらに少なくとも２つの直線の制御線（３８、４０）を含み、
前記制御線（３８、４０）のそれぞれは前記横方向次元（ｙ’）と角度を成し、
前記方法はさらに、前記制御線（３８、４０）を利用することにより前記光平面（１８）に対する前記プロファイル較正面（Ｐ’）のプロファイル傾斜の測度を決定する工程を含む、請求項１〜７のいずれか一項に記載の方法。
【請求項９】
前記射影変換を計算する際に前記プロファイル傾斜を補償する工程をさらに含む、請求項８に記載の方法。
【請求項１０】
前記光学素子（２２）は光軸を含み、
前記センサ（１４）はセンサ法線方向を有する平面内に広がり、
前記光軸は前記センサ法線方向とシャインフルーグ角度を成し、
前記方法はさらに、前記センサ（１４）上の少なくとも１点から前記光平面（１８）内の少なくとも１点への前記写像を生成する際に前記シャインフルーグ角度を補償する工程を含む、請求項１〜９のいずれか一項に記載の方法。
【請求項１１】
前記光源（１２）は前記光平面がレーザ平面となるようなレーザ源である、請求項１〜１０のいずれか一項に記載の方法。
【請求項１２】
前記写像較正プロファイル（２８）と前記射影変換較正プロファイル（３２）は単一の較正物体（３０）上に位置する、請求項１〜１１のいずれか一項に記載の方法。
【請求項１３】
コンピュータまたはプロセッサにおいて実行可能なコンピュータプログラムコードを含むコンピュータプログラムであって、センサ（１４）から信号を受信して写像較正プロファイル（２８）の、直線を形成する少なくとも３つの点を使用することにより前記センサ（１４）の少なくとも第１の部分から光源（１）により生成された光平面（１８）の少なくとも第１の部分への非線形写像を計算する工程と；射影変換較正プロファイル（３２）の、点間の相対的距離が予め決められた少なくとも４つの点に基づき、前記センサ（１４）の少なくとも第１の部分から前記光平面（１８）の少なくとも第１の部分への射影変換を計算する別の工程と；を実行するようになっているコンピュータプログラムにして、コンピュータ可読記憶媒体上に格納可能であるか、あるいは搬送波により分配可能である、コンピュータプログラム。
【請求項１４】
コンピュータまたはプロセッサにおいて実行可能なコンピュータプログラムコードを含むコンピュータプログラムを備えて構成される電子制御装置であって、前記コンピュータプログラムがセンサ（１４）から信号を受信して写像較正プロファイル（２８）の、直線を形成する少なくとも３つの点を使用することにより前記センサ（１４）の少なくとも第１の部分から光源（１）により生成された光平面（１８）の少なくとも第１の部分への非線形写像を計算する工程と；射影変換較正プロファイル（３２）の、点間の相対的距離が予め決められた少なくとも４つの点に基づき、前記センサ（１４）の少なくとも第１の部分から前記光平面（１８）の少なくとも第１の部分への射影変換を計算する別の工程と；を実行するようになっていて、さらに前記コンピュータプログラムがコンピュータ可読記憶媒体上に格納可能であるか、あるいは搬送波により分配可能であり、請求項１〜１２のいずれか一項に記載の較正方法を実行するように配置されたことを特徴とする電子制御装置（２４）。
【請求項１５】
第１の光源（１２）とセンサ（１４）を含む測定システムであって、請求項１４に記載の電子制御装置（２４）を含むことを特徴とする、測定システム（１０）。
【発明の詳細な説明】
【技術分野】
【０００１】
本発明は、光源、光学素子およびセンサを含む測定システムを較正する方法に関する。光源は光平面を生成するようにされ、光学素子は光平面とセンサとの間に位置する。本方法は、センサ上の少なくとも１つの点から光平面内の少なくとも１つの点への写像を得るために実行される。本方法は、光平面が生成されるように光源をオンにする工程と、光平面内の第１の写像位置に写像較正プロファイルを導入する工程と、を含み、写像較正プロファイルは直線を形成する少なくとも３つの点を含む。
【０００２】
本発明はまた、このような較正方法に使用可能な較正物体に関する。
【背景技術】
【０００３】
物体のプロファイルの寸法を測定するためにレンジカメラ（range camera）を使用することができる。レンジカメラは通常は光源とセンサを含み、光源は測定対象の物体上に光平面を生成するようにされる。さらに、物体から反射された光をセンサ上に集束するための光学素子は通常、センサと物体との間に置かれる。光源、物体およびセンサは通常、仮想三角形の角を形成するように互いに所定の距離に置かれる。
【０００４】
センサはセンサ面内に広がり、そして、当業者により理解されるように、プロファイルの寸法を決定するためには、センサ面内の座標が現実座標に変換されるようにセンサ面内の点から光平面内の点へ写像する必要がある。このような写像を得る処理は一般的には、「レンジカメラの較正」と称する。とりわけ、写像の未知の尺度、センサに関する光平面の未知の遠近歪みおよび前述の光学素子の未知の歪みのために、このような較正は通常、基準物体の測定により決定される。
【０００５】
この目的を達成するために、従来技術は前述の較正を実行する様々なやり方を提案している。例えば、非特許文献１は、格子縞等の２次元パターンを光平面の推定延長部に設置する（但し、光源はオフされている）。このパターンは少なくとも２つの位置に設置してよく、２つの位置の少なくとも１つは較正を実行できるように光平面の延長部に存在する。しかしながら、光源は上記提案のように較正手順中にオフされるので、パターンが光平面の延長部の外に非意図的に位置する危険性（これは較正の結果を損なうことになる）が当然ある。また、前述の方法は、必ずしも真だとは限らない「光源により生成される光平面が完全に平面である」という仮定に基づき、これもまた較正手順の結果を損なうことがある。
【０００６】
あるいは、従来技術は、較正物体は光平面内の複数の所定位置に設置されてよいということ、およびセンサ面から光平面への写像は複数の位置の画像およびその位置についての情報を使用することにより実行されるということ、とを教示する。しかしながら、このような較正手順は、較正物体の位置を適切かつ正確に決定できることを要求し、その結果、通常、較正物体の位置決めがモーションリグ（motion rig）を使用することにより行われることとなる。高価でかつ使用するのが煩わしいこととは別に、モーションリグはまた、光平面の回りに空間（この空間は例えばレンジカメラに近い空間制限のために常に利用可能だとは限らない）を必要とするという欠点がある。
【０００７】
上記から理解されるように、上に定義された従来技術の較正手順の欠点の少なくとも１つを取り除く、レンジカメラの較正手順のさらなる改善が必要である。
【先行技術文献】
【非特許文献】
【０００８】
【非特許文献１】Z. Zhang named「A flexible new technique for camera calibration」ＩＥＥＥ Transactions on Pattern Analysis and Machine Intelligence，２２（１１）：１３３０−１３３４，２０００
【発明の概要】
【課題を解決するための手段】
【０００９】
本発明の第１の目的は、モーションリグの使用を必要としないレンジカメラ較正方法を提供することである。
【００１０】
本発明の第２の目的は、レンジカメラにより生成される光平面の延長部を考慮することができるレンジカメラ較正方法を提供することである。
【００１１】
本発明の第３の目的は、センサ面からレンジカメラの光平面への線形および非線形写像を考慮することができるレンジカメラ較正方法を提供することである。
【００１２】
本発明の第４の目的は、大きな光平面を与えるレンジカメラを較正するために使用できるレンジカメラ較正方法を提供することである。
【００１３】
前述の目的の少なくとも１つは、請求項１に記載の測定システムの較正方法により達成される。
【００１４】
したがって本発明は、光源、光学素子およびセンサを含む測定システムを較正する方法に関する。光源は光平面を生成するようにされ、光学素子は光平面とセンサとの間に位置する。本方法は、センサ上の少なくとも１つの点から光平面内の少なくとも１つの点への写像を得るために実行される。本方法は、
−光平面が生成されるように光源をオンにする工程と、
−光平面内の第１の写像位置に写像較正プロファイルを導入する工程と、を含み、写像較正プロファイルは直線を形成する少なくとも３つの点を含む。
【００１５】
本発明によれば、本方法はさらに、
−写像較正プロファイルの少なくとも３つの点を使用することによりセンサの少なくとも第１の部分から光平面の少なくとも第１の部分への非線形写像を計算する工程と、
−光平面内の第１の射影変換（homography）位置に、点間の相対的距離が予め決められた少なくとも４つの点を含む射影変換較正プロファイルを導入する工程と、
−射影変換較正プロファイルの少なくとも４つの点に基づき、センサの少なくとも第１の部分から光平面の少なくとも第１の部分への射影変換を計算する工程と、を含む。
【００１６】
したがって、本発明の方法は較正プロファイル上の点間の相対的距離についての情報だけを必要とするので、較正プロファイルの位置決め制御の必要性は低減されており、取り除かれてもよい。また、射影変換較正プロファイルだけでなく写像較正プロファイルも実際の光平面内に導入されるので、上に検討したようなZ. Zhangにより提案された較正方法を使用する場合のように、写像が光平面内に無い仮想平面に対し決定されるという危険性はない。
【００１７】
本発明の較正方法の実施形態によると、本方法はさらに、
−写像プロファイルの位置を連続的な写像位置へ変更する工程と、
−非線形写像を計算するために、連続的な写像位置の各位置からの写像較正プロファイルの少なくとも３つの点についての情報を使用する工程と、を含む。
【００１８】
写像プロファイルの位置を変更する工程と非線形写像を決定する際に各位置についてのデータを使用する工程により非線形写像の精度を高める。また、これにより、撮像視野が較正物体より大きい場合ですら較正測定により完全な撮像視野をカバーすることが可能となる。
【００１９】
本発明の較正方法の別の実施形態によれば、写像プロファイルの位置を複数の連続的な写像位置へ変更する工程は、連続的な写像位置が無作為に選択されるように実行される。それゆえ、写像位置を無作為に選択することができるので、写像プロファイルの位置制御の必要性はない。このことは、例えば手作業で写像プロファイルの位置を単純に変更することにより連続的な写像位置を簡単なやり方で得ることができるということを暗示する。
【００２０】
本発明の較正方法の別の実施形態によると、本方法はさらに、
−射影変換プロファイルの位置を連続的な射影変換位置に変更する工程と、
−射影変換を計算するために、連続的な射影変換位置の各位置からの射影変換較正プロファイルの少なくとも４つの点についての情報を用いる工程と、を含む。
【００２１】
非線形写像に関しては、これにより射影変換の精度を高める。本発明の較正方法の別の実施形態によれば、射影変換プロファイルの位置を複数の連続的な射影変換位置に変更する工程は、連続的な射影変換位置が無作為に選択されるように実行される。
【００２２】
本発明の較正方法の別の実施形態によると、写像較正プロファイルは少なくとも３つの点が配置される平面を含む。
【００２３】
本発明の較正方法の別の実施形態によると、射影変換較正プロファイルは所定寸法を有する鋸歯状部分を含み、少なくとも４つの点がこの鋸歯状部分に配置される。
【００２４】
本発明の較正方法の別の実施形態によると、射影変換較正プロファイルは、プロファイル較正面を形成する長手次元（ディメンション）及び垂直次元に延びる。プロファイル較正面は、射影変換プロファイルが射影変換位置にあるときに光平面とほぼ平行となるようにされ、射影変換較正プロファイルはさらにプロファイル較正面にほぼ垂直な横方向次元に延びる。射影変換較正プロファイルはさらに、それぞれが横方向次元と角度をなす少なくとも３組の２本の直線制御線を含む。本方法はさらに、上記制御線を利用することにより光平面に対するプロファイル較正面のプロファイル傾斜の測度を決定する工程を含む。
【００２５】
本発明の較正方法の別の実施形態によると、本方法はさらに、射影変換を計算する際にプロファイル傾斜を補償する工程を含む。
【００２６】
本発明の較正方法の別の実施形態によると、光学素子は光軸を含み、センサはセンサ法線方向を有する平面内に広がっている。光軸はセンサ法線方向とScheimpflug（シャインフルーグ）角度をなす。本方法はさらに、センサ上の少なくとも１つの点から光平面内の少なくとも１つの点への写像を生成する際にScheimpflug角度を補償する工程を含む。
【００２７】
本発明の較正方法の別の実施形態によると、光源は、光平面がレーザ平面となるようにレーザ源である。
【００２８】
本発明の較正方法の別の実施形態によると、写像較正プロファイルおよび射影変換較正プロファイルは単一の較正物体上に位置する。
【００２９】
本発明の第２の態様は、本発明の方法の工程を実施するコンピュータまたはプロセッサにおいて実行可能なコンピュータプログラムコードを含むコンピュータプログラムを含むコンピュータプログラム製品に関する。コンピュータプログラム製品はコンピュータ可読媒体または搬送波上に格納される。
【００３０】
コンピュータプログラムはコンピュータまたはプロセッサにおいて実行可能なコンピュータプログラムコードを含むことができる。コンピュータプログラムはセンサから信号を受信するとともに上述のような本方法の計算工程を実施するようにされる。コンピュータプログラムはコンピュータ可読記憶媒体上に格納可能か、あるいは搬送波により配布可能である。
【００３１】
本発明の第３の態様は、本発明の第２の態様によるコンピュータプログラム製品を含むとともに本発明による較正方法を実行するように配置された電子制御装置に関する。
【００３２】
本発明の第４の態様は、本発明の第３の態様による第１の光源とセンサと電子制御装置とを含む測定システムに関する。
【００３３】
本発明の第５の態様は、複数の歯を含む鋸歯状部分を含む射影変換較正プロファイルを含む較正物体に関する。歯のそれぞれは頂点部に向かって較正面に延びる基部を含み、較正物体はさらに較正面にほぼ垂直に延びる横方向次元を有する。本発明の第２の態様によると、射影変換較正プロファイルはさらに、それぞれが横方向次元と角度を成す少なくとも２つの制御線を含む。
【００３４】
本発明の第５の態様の実施形態によると、少なくとも２つの制御線は歯の基部と頂点部との間に位置する。
【００３５】
本発明の第５の態様の別の実施形態によると、少なくとも２つの制御線のそれぞれは、頂点部が横方向次元と角度を成す延長部を有するように１つの歯の頂点部上に配置される。
【００３６】
本発明について、添付図面を参照し非限定的な例によりさらに説明する。
【図面の簡単な説明】
【００３７】
【図１】レンジタイプ測定システムの概略透視図である。
【図２】本発明の方法から得られる写像の概略フローチャートである。
【図３】非線形写像を決定する工程が実行されるときの図１の測定システムの概略透視図である。
【図４Ａ】非線形写像が実行される前の直線プロファイルの画像を示す。
【図４Ｂ】非線形写像が実行される後の直線プロファイルの画像を示す。
【図５Ａ】非線形写像が実行される前の複数の直線プロファイルの画像を示す。
【図５Ｂ】非線形写像が実行される後の複数の直線プロファイルの画像を示す。
【図６】線形写像を決定する工程が実行されるときの図１の測定システムの概略透視図である。
【図７】光平面内の複数の仮想点がどのように理想センサ面内に写像され使用されるかをＡからＣの順で示す。
【図８Ａ】プロファイルが光平面に対し平行にされたときにどのように光平面が較正プロファイルと交差するかを例証する。
【図８Ｂ】プロファイルが光平面に対し傾斜されたときにどのように光平面が較正プロファイルと交差するかを例証する。
【図９】本発明による射影変換較正プロファイルを示す。
【図１０】図９の射影変換較正プロファイルの一部を示す。
【図１１】図９の射影変換較正プロファイルの一部を示す。
【図１２】光平面に挿入される際の図９の射影変換較正プロファイルの一部を示す。
【図１３】図９の射影変換較正プロファイルを示す。
【図１４】本発明の方法の実施形態から得られる写像の概略フローチャートである。
【図１５】そのセンサがその光学素子に対し傾斜された測定システムの概略側面図である。
【発明を実施するための形態】
【００３８】
本発明は以下では実施形態により例示される。しかしながら、実施形態は添付の特許請求範囲により定義される本発明の範囲を制限するためではなく本発明の原理を説明するために含まれるということを理解すべきである。
【００３９】
図１は、レンジタイプ測定システム１０を示す。システム１０は光源１２とセンサ１４を含む。光源１２は入射光面１８により測定物体１６を照明するようにされる。この入射光面は「シート光」とも呼ばれることがある。センサ１４は、測定物体１６からの反射光２０を検知し、この反射光２０に基づき画像を生成するようにされる。さらに、システム１０はセンサ１４と測定物体１６間に位置するようにされた光学素子２２を含むことが好ましい。もちろん他の光学素子の配置も実現可能であるが、光学素子２２は図１では単一レンズとして概略的に図示されている。さらに、測定システムはセンサ１４により記録された画像を解析および／または格納するようにされた電子制御装置２４を備えていることが好ましい。好ましくは、本システムはまた、記録画像および／または電子制御装置２４により生成された画像を表示するようにされた観察手段２６（例えば表示装置）を含む。さらに図１に示すのは、Ｘ、Ｙ、Ｚ次元をそれぞれ有するグローバル（すなわち現実）座標系である。
【００４０】
光源１２は、光平面１８すなわちシート光を生成するようにされ、当業者に知られており本明細書ではさらに説明しないアプリケーション（例えば、レーザ、発光ダイオード（ＬＥＤ））、通常光（電球））等に好適な任意のタイプのものであってよい。しかしながら、光源１２は、光平面１８がレーザ平面となるようにレーザ光線を生成するようにされるのが好ましい。さらに図１は、光平面１８が第１および第２の光平面次元Ｘ１、Ｘ２に沿って延びることを示す。図１に示す例では、第１の光平面次元Ｘ１はＸ次元に平行であり、第２の光平面次元Ｘ２はグローバル座標系のＺ次元に平行である。しかしながら、図１に示す測定システム１０の他の実施形態では、光平面１８はＸ、Ｙ、Ｚ次元のいずれにも平行でないように配向されてもよい。
【００４１】
動作中、測定物体１６は通常、測定システム１０に対し第１の移動方向（図１のＹ方向）に沿って動く。この目的を達成するために、測定物体１６は例えばコンベヤベルト（図示せず）または任意の同様の装置上に置かれてもよい。随意的に、測定物体１６は静止していてもよく、その代りに測定システム１０が測定物体１６に対し動くようにされる。当然、上記２つの選択肢の組み合わせもまた可能である。
【００４２】
センサ１４は好ましくはＣＭＯＳセンサであるが、当業者は、本発明が物体から反射された光に基づいて物体の画像を生成するのに好適なＣＣＤセンサまたは他の任意のセンサ等の他のタイプのセンサに適用され得るということを十分に理解するであろう。図１から分かるように、センサ１４は通常、センサ縦方向次元ｖとセンサ横方向次元ｕを有するセンサ面内に広がっている。センサ横方向次元ｕは第１の移動方向Ｙにほぼ垂直であることが好ましい。
【００４３】
当業者により理解されるように、センサ１４から得られる情報に基づいて物体１６の正しいグローバル座標（すなわちＸ、Ｙ、Ｚ次元における座標）を得るためには、センサ次元ｕ、ｖからＸ、Ｙ、Ｚ次元へ写像する必要がある。しかしながら、このような写像は、グローバル座標系におけるその配向が分かっている平面上の点をＸ、Ｙ、Ｚ次元へ写像することと単に関係するので、光平面１８からＸ、Ｙ、Ｚ次元への写像は従来の写像技術を使用することにより容易に得られるということに留意されたい。それゆえ、本発明によるおよび以下に提示される写像法は、センサ次元ｕ，ｖの座標から光平面次元Ｘ１、Ｘ２の対応する座標への写像（すなわちセンサ面１５から光平面１８への写像）を得る方法に帰着できることが好ましい。
【００４４】
センサ面１５から光平面１８への写像に関し、このような写像は３つのサブ写像（すなわち、射影変換（または線形写像）Ｈ、非線形写像Ｄおよび固有パラメータ写像Ｋ）を含むものと見なしてよい。それゆえ、光平面１８内の点Ｘに対して、センサ面１５内の対応点ｕは次のように公式化することができる。
ｕ〜ＫＤ（ＨＸ）          式１
【００４５】
式１による写像が得られると、式中に定義される表現は、センサ面１５から光平面１８への写像が得られるように逆にされる。すなわち、
Ｘ〜Ｈ−１Ｄ−１（Ｋ−１（ｕ））          式２
【００４６】
上記から理解されるように、式１または式２のいずれかに定義される写像を得るためにサブ写像Ｋ、Ｄ、Ｈを決定する必要がある。
【００４７】
多くのアプリケーションでは、固有パラメータ写像Ｋは較正の結果を損なうことなくユニティ写像（すなわちＫ＝ｌ）であると仮定してよい。前述の仮定を用い、光平面１８内の点Ｘのセンサ面１５内の対応点ｕへの写像は次のように公式化することができる。
ｕ〜Ｄ（ＨＸ）          式３
および
Ｘ〜Ｈ−１Ｄ−１（ｕ）          式４
【００４８】
以下の説明から明らかになるように、本発明のいくつかの実施形態はまた、固有パラメータ写像Ｋが実際に考慮される状況に対処する。
【００４９】
式３により規定される光平面１８からセンサ面１５への写像を図２に示す。ここでは写像Ｄ、Ｈが示される。このため、射影変換すなわち線形写像Ｈは光平面１８を次元ｕ、ｖを有する仮想理想センサ面に写像する。非線形写像Ｄは理想センサ面を次元
【数１】
0005140761.tif 000002
【数２】
0005140761.tif 000003
を有する歪んだセンサ面へ写像するが、この場合、歪んだセンサ面は、固有パラメータ写像Ｋが考慮されないので実際のセンサ面１５と同じである。平面と写像に関して上に定義された名称は特記しない限り以下の説明に従う。
【００５０】
写像Ｄ、Ｈを決定するために、本発明は測定システムを較正する方法を提案する。本方法は、
−光平面１８が生成されるように光源１２をオンにする工程と、
−光平面１８内の第１の写像位置に、直線を形成する少なくとも３つの点を含む写像較正プロファイル２８を導入する工程と、
−写像較正プロファイル２８の少なくとも３つの点を使用することによりセンサ１４の少なくとも第１の部分から光平面１８の少なくとも第１の部分への非線形写像Ｄ−１を計算する工程と、
−光平面１８内の第１の射影変換位置に、点間の相対的距離が予め決められた少なくとも４つの点を含む射影変換較正プロファイル３２を導入する工程と、
−射影変換較正プロファイル３２の少なくとも４つの点に基づき、センサ１４の少なくとも第１の部分から光平面１８の少なくとも第１の部分への射影変換Ｈ−１を計算する工程と、を含む。
【００５１】
上に定義された方法について以下に詳細に説明する。まず非線形写像に関連する方法の工程から始める。
【００５２】
非線形写像は、とりわけ光学素子２２が測定物体１６からの反射光２０の歪みをセンサ１４に導入するという理由で図１に示す測定システム１０に必要とされる。このような歪みは、光学素子２２における不規則性のために（例えば、光学素子のレンズの製造公差のために）生じることがあるが、また、光学素子を構成するレンズの形が通常、湾曲する（例えば凸状になる）という理由で生じることがある。これにより光学素子２２を通過する際に反射光２０の非線形変換が自動的に生じる。
【００５３】
図３には、写像較正プロファイル２８が光平面１８内に導入された図１の測定システム１０を示す。さらに光学素子と測定システムのセンサは図３では１つの単一ユニット１７により示される。図３では、写像較正プロファイル２８は写像較正物体３０上に位置する。写像較正プロファイル２８は直線を形成する少なくとも３つの点を含む。図３に示す写像較正プロファイル２８の実施形態では、写像較正プロファイル２８は、この場合の写像較正プロファイル２８が連続的な直線を含むように平面を実際に含む。しかしながら写像較正プロファイル２８の他の実施形態（例えば、直線上の離散的な点を構成する３以上の点を含むプロファイル２８（図示せず））も非線形写像を決定する際に実現可能であるということに留意されたい。
【００５４】
図４Ａは、反射光２０がセンサ１４に影響を与える前に非線形変換されると図３に示す写像較正プロファイル２８がセンサ１４上にどのように撮像されるかを示す。図４Ａから分かるように、非線形変換の結果、写像較正プロファイル２８の直線はセンサ１４上の曲線２８’として撮像されることになる。したがってその代りに、写像較正プロファイル２８が図４Ｂに示すように直線２８”として撮像されるように、図４Ａに示す画像を非線形変換する必要がある。
【００５５】
図４Ａから図４Ｂへの変換などの非線形変換を決定する際に考慮される非線形現象に依存して、写像は変わってもよい。単に一例として、レンズ歪みがモデル化されれば非線形写像は次のように決定することができる。まず、歪んだセンサ面は歪次元
【数３】
0005140761.tif 000004
【数４】
0005140761.tif 000005
を有する（図４Ａ参照）ものと定義され、歪んだセンサ面から理想センサ面への変換は、次のように公式化することができる。
【数５】
0005140761.tif 000006
ここで、
【数６】
0005140761.tif 000007
そして、
【数７】
0005140761.tif 000008
ここで
【数８】
0005140761.tif 000009
と
【数９】
0005140761.tif 000010
は歪んだセンサ面座標内の歪み中心を定義する。
【００５６】
したがって、歪んだセンサ面から理想センサ面への変換を設定することは、δのパラメータの適正値を決定することと見なすことができる。単に一例として、δのパラメータの適正値は、理想センサ面内のできるだけ直線状の線２８”を生じるδのパラメータを選択する最適化手順を利用することにより得ることができる。
【００５７】
この目的を達成するために、線２８”の直線性に関する直線性測度ＭＳ（これは好ましい一組のδのパラメータを得るために解析される）が必要である。この点で、本発明の発明者らは、線２８”が複数の点｛ｐｉ｝により構成されると仮定すると（この仮定は常に成立つ）、適切な直線性測度を次のように定義できるということを理解した。
【数１０】
0005140761.tif 000011
ここで、
λ１は、主方向（点｛ｐｉ｝の最大分散を生じる理想センサ面内の方向）の点｛ｐｉ｝の座標の分散であり、
λ２は、主方向に直交する方向の点｛ｐｉ｝の座標の分散である。
【００５８】
上記直線性測度ＭＳの定義から理解されるように、完全な直線は０の直線性測度ＭＳを有し、半円状の線は０．５の直線性測度ＭＳを有する。また、当業者は、δのパラメータの適正値を得るための手順が最小化問題として次のように公式化することができるということを理解できる。
【数１１】
0005140761.tif 000012
【００５９】
δのパラメータの適正値を得る手順の上記提示は理想センサ面の１つの線２８”に限定された。しかしながら、非線形写像の精度を上げるために、本手順は図５Ａと図５Ｂに示すように複数の線に対して実行できることが好ましい。したがって、プロファイル２８が光平面１８の複数の異なる場所に位置するとき写像較正プロファイル２８の画像が生成され、理想センサ面内に複数の線（すなわちｍ本の線）が生じる（図５Ａ参照）。図５Ａの線を利用することにより、組み合わせ直線性測度ＭＳは、次のようにすべての線に対し公式化することができる。
【数１２】
0005140761.tif 000013
【００６０】
このため、本発明の方法の好ましい実施形態はさらに、
−写像プロファイル２８の位置を連続的な写像位置へ変更する工程と、
−非線形写像を計算するために、連続的な写像位置の各位置から写像較正プロファイル２８の少なくとも３つの点についての情報を使用する工程と、を含む。
【００６１】
δの適切なパラメータを決定する際に直線性測度ＭＳだけが使用されるので、本発明の発明者らは、写像プロファイルの位置を複数の連続的な写像位置へ変更する工程は連続的な写像位置が無作為に選択されるように実行され得るということを理解した。
【００６２】
次に、光平面とセンサ面間の射影変換すなわち線形写像の決定に関する本発明の方法の一部を提示する。
【００６３】
図６には、射影変換較正プロファイル３２が光平面１８内の第１の射影変換位置に導入された測定システム１０を示す。射影変換較正プロファイル３２は、点間の相対的距離が予め決められた少なくとも４つの点を含む。図６に示す例では、射影変換較正プロファイル３２は複数の歯３４、３６を有する鋸歯状部分を含む。それぞれの歯は頂点３４’、３６’を有し、２つの隣接する歯３４と３６間に谷３４”が形成される。このため、図６に示す射影変換較正プロファイル３２は、点間の相対的距離が予め決定された複数の点を含む。
【００６４】
当業者により理解されるように、射影変換は、光平面１８からセンサ面１５への線形写像と見なしてよい。少なくともプロファイル３２上の４つの点の位置が光平面１８内で分かるように光平面１８内の射影変換較正プロファイル３２の位置が分かれば、当業者によく知られた技術（例えば直接線形変換技術）を使用することにより次のような線形写像を決定することが実際に可能であろう。
ｕ〜ＨＸ          式１０
式１０において、ｕはセンサ面内の座標を定義し、Ｘは光平面内の座標を定義し、Ｈは通常は次式に従って公式化される射影変換行列すなわち線形写像行列Ｈである。
【数１３】
0005140761.tif 000014
【００６５】
本発明の発明者らが理解したことは、射影変換を決定するためには光平面１８内の射影変換較正プロファイル３２の正確な位置を知る必要がないということである。その代り、射影変換較正プロファイル３２は
【数１４】
0005140761.tif 000015
が射影変換較正プロファイル３２の座標を定義するようにその中心を光平面１８の原点にして置かれて一定のやり方で回転されるということだけを仮定してよい。このため、
【数１５】
0005140761.tif 000016
とＸ間の関係は次のように公式化することができる、
【数１６】
0005140761.tif 000017
ここで、Ｒは射影変換較正プロファイル３２の回転に関係し、Ｔは射影変換較正プロファイル３２の変換に関係する。
【００６６】
このとき、光平面１８内の仮想座標
【数１７】
0005140761.tif 000018
をセンサ座標ｕに写像する射影変換
【数１８】
0005140761.tif 000019
を次式となるように計算することができる。
【数１９】
0005140761.tif 000020
【００６７】
上に定義された
【数２０】
0005140761.tif 000021
とＸ間の関係を利用すると式１３は次のように再公式化され、
【数２１】
0005140761.tif 000022
結局、射影変換は次のように再公式化されることになる。
【数２２】
0005140761.tif 000023
【００６８】
センサ面内の座標がレーザ平面に対し固定されると、演算子Ｈの逆Ｈ−１を利用することによりセンサ面内の座標が正しい現実座標へ写像されるように演算子Ｈを完全に決定することが実際に可能である。単に一例として、センサ面とレーザ平面との一定の関係は、演算子Ｈを完全に決定するためにレーザ平面内の既知の位置が使用されるように射影変換較正プロファイル３２をレーザ平面内の所定位置（例えば、コンベヤベルト（図示せず）上の特定位置上）に置くことにより得ることができる。この目的を達成するために、レーザ平面座標系の原点Ｘ０およびＸ１軸上の追加点Ｘｒを決定するとよい。Ｘ０が分かると、センサ面への投射は次のように公式化することができる。
ｕ０〜ＨＸ０          式１６
【００６９】
このため、次の関係を公式化することができる。
【数２３】
0005140761.tif 000024
【００７０】
Ｘ１とＸ２の両方は原点Ｘ０で零に等しいので、行列Ｒにより記述されるいかなる回転も原点Ｘ０の位置を有効にせず、したがって回転はこの場合Ｒ＝Ｉとなるように恒等演算子として選択されてよいということに留意すべきである。
【００７１】
次に、変換ベクトルｄは次のよう定義される。
【数２４】
0005140761.tif 000025
この結果、Ｔは次の形式をとることになる。
【数２５】
0005140761.tif 000026
【００７２】
変換行列Ｔに関し上に記載されたものと同様な手法が、回転行列Ｒを決定する際に使用可能である。しかしながらこの場合、Ｘ１軸上の追加点Ｘｒがその代りに使用される。このため、追加点Ｘｒが理想センサ面上の点ｕｒに投影されると仮定されると、次の関係が公式化される。
【数２６】
0005140761.tif 000027
【００７３】
前に検討したように、追加点Ｘｒに対しＸ２＝０であることが分かっており、この情報を使用することによりＸ１軸とベクトルｒ間の回転角φを決定することができる。ここで、
【数２７】
0005140761.tif 000028
【００７４】
前述の回転角φは次の関係式により決定することができる。
【数２８】
0005140761.tif 000029
【００７５】
回転角が決定されると回転行列Ｒは次式に従って計算することができる。
【数２９】
0005140761.tif 000030
【００７６】
このため、今や射影変換行列Ｈは次の関係式により決定することができる。
【数３０】
0005140761.tif 000031
【００７７】
式１２〜式２４に関して上に提示された教示を検討すると理解されるように、発明者らは、射影変換を決定する際に光平面１８内の射影変換較正プロファイル３２の正確な場所についての情報を使用することは必要ないということを理解した。その代りに、上に提示された技術を使用することにより、射影変換較正プロファイル３２を光平面１８内の任意の位置に置くことができ、光平面１８の射影変換較正プロファイル３２の位置とＸ１、Ｘ２次元との関係は式１２により決定することができる。この関係が設定されると、上に検討された写像
【数３１】
0005140761.tif 000032
は、射影変換較正プロファイル３２の４つの点間の相対的距離についての所定の情報を利用する従来方法（例えば、直接線形変換技術）を使用することにより決定することができる。このとき、射影変換行列Ｈは式２４により決定することができる。
【００７８】
先に検討したような歪んだセンサ面から無歪センサ面への変換に関し、前述の射影変換を、複数の射影変換行列｛Ｈｉ｝ｉ＝１，ｎが生成されるように複数の連続的な射影変換位置１〜ｎに対し決定することができる。この生成は、プロファイル３２が光平面１８内の複数の（すなわちｎ個の）個別の位置にあるときに射影変換較正プロファイル３２の画像を生成することにより行うことができる。非線形写像に関しては、光平面内の個別の位置は無作為に選択されてよい。このとき、複数の射影変換行列｛Ｈｉ｝ｉ＝１，ｎは、１つの単一射影変換行列Ｈを形成するように組み合わされる。このような組み合わせは複数のやり方（そのいくつかの例は以下に提示される）で行うことができる。
【００７９】
射影変換行列｛Ｈｉ｝ｉ＝１，ｎを組み立てる方法の第１の例は、１つの単一射影変換行列Ｈを生成するために行列｛Ｈｉ｝ｉ＝１，ｎの要素を形成する手段に基づく。この目的を達成するために、射影変換行列｛Ｈｉ｝ｉ＝１，ｎの各行列は例えばｈｉ３３＝１  ｉ＝１，ｎとなるように最初に正規化される。このとき、単一の射影変換行列Ｈの各要素ｈｊｋ  ｊ，ｋ＝１，３は、
【数３２】
0005140761.tif 000033
となるように複数の射影変換行列｛Ｈｉ｝ｉ＝１，ｎの対応する要素の平均値として生成される。
【００８０】
随意的に、射影変換行列Ｈは、光平面１８内の仮想点を利用する手順により計算されてもよい。このため、光平面内の個別の座標を有する少なくとも４つの点を含む一組の仮想点が選択される。このような正確に４つの点を含む一組の例を図７Ａに示す。このとき、仮想点の各点は射影変換行列｛Ｈｉ｝ｉ＝１，ｎのそれぞれを使用してセンサ面（ｎ）に写像される。このため、各仮想点はセンサ面内のｎ個の点に写像される。図７Ａに示す一組の仮想点に関するこのような写像の例を図７Ｂに示す。ここでは、前述の一組内の各点は４つの個別の射影変換行列｛Ｈｉ｝ｉ＝１，４によりセンサ面に写像された。図７Ｂから分かるように、４つの個別の射影変換行列｛Ｈｉ｝ｉ＝１，４が互いに異なる場合、１つの仮想点の４つの写像はセンサ面１５内の４つの個別の点を生じる。次に、射影変換決定手順の本実施形態は、センサ面内の平均点が各仮想点のｎ個の写像に対し決定されることを提案する。このような平均値の例を図７Ｃに示す。この図では、仮想点のそれぞれに対するセンサ面への写像の平均点を示す。したがって光平面１８内の一組の仮想点に対し、センサ面１５内の対応する一組の点（前述の平均値）が得られた。一組の仮想点は少なくとも４つの点を含むので、射影変換行列Ｈは、例えば直接線形変換技術等の従来の射影変換決定方法により計算することができる。
【００８１】
図７Ａ〜７Ｃを参照し上に定義された手順はまた逆にされ、その代りに一組の仮想点がセンサ面１５内で選択され一組内の各点が個々の射影変換行列の逆
【数３３】
0005140761.tif 000034
を使用することにより光平面１８内のｎ個の点に写像されるようにしてもよい。このとき、その代りに、各点の平均値は光平面１８に形成され、射影変換行列Ｈを、図７Ａ〜７Ｃを参照して上に説明されたのと同様のやり方で決定することができる。
【００８２】
少なくとも１つの（しかし、好ましくは複数の）射影変換行列｛Ｈｉ｝ｉ＝１，ｎの生成に関連する上記各章節を検討すると理解されるように、射影変換較正プロファイル３２の点間の相対的距離の精度は射影変換行列｛Ｈｉ｝ｉ＝１，ｎの精度に影響を及ぼすことになる。射影変換較正プロファイル３２の点間の相対的距離自体は高精度に決定することができるが、本発明の較正方法中にユーザが光平面１８に関する射影変換較正プロファイル３２を傾斜させる危険性がある。このような傾斜の影響を図８Ａと図８Ｂに示す。図８Ａは射影変換較正プロファイル３２が光平面１８にほぼ平行である位置を示し、図８Ｂは射影変換較正プロファイル３２が光平面１８に対しいくぶん傾斜された位置を示す。図８Ａと図８Ｂに示す状況を比較すると理解されるように、例えば光平面内の頂点３４’と谷３４”間の距離は、図８Ａに示す位置と比較し図８Ｂに示す位置ではいくぶん大きい。このため、図８Ｂに示す位置が射影変換決定を行う際に使用されると、得られる射影変換行列Ｈが損なわれるという危険性がある。
【００８３】
このため、射影変換行列Ｈが決定される前に、光平面１８に関する較正プロファイル３２のあらゆる傾斜を補償することが望ましいであろう。この目的を達成するために、本発明の発明者らは、図９に示すような射影変換較正プロファイル３２を使用することにより前述の傾斜を決定できるということを理解した。
【００８４】
図９から分かるように、射影変換較正プロファイル３２はプロファイル較正面Ｐ’を形成する長手方向次元ｘ’と垂直方向次元ｚ’に延びる。また、図９の射影変換較正プロファイル３２は複数の歯３４、３６を含み、それぞれの歯は頂点部３４’、３６’に向かって較正面Ｐ’内に延びる基部３４ｂ、３６ｂを含む。プロファイル較正面Ｐ’は、射影変換プロファイル３２が射影変換位置にあるときに光平面１８とほぼ平行となるようにされる。また、射影変換較正プロファイル３２はプロファイル較正面Ｐ’にほぼ垂直な横方向次元ｙ’に延びる。射影変換較正プロファイル３２はさらに、それぞれが横方向次元と角度を成す少なくとも２つの直線の制御線３８、４０を含む。単に一例として、制御線３８、４０は、制御線３８、４０を射影変換較正プロファイル３２の残りの線から明確に識別可能にする色により射影変換較正プロファイル３２上で彩色されてよい。随意的に、射影変換較正プロファイル３２は、頂点３４’、３６’のそれぞれが横方向次元ｙ’と角度を成すように（すなわち、頂点３４’、３６’が横方向次元ｙ’（図示せず）に対し傾斜されるように）設計されるとよい。
【００８５】
図９の射影変換較正プロファイル３２は較正物体３０上に置かれる。較正物体３０の反対側の較正プロファイル３２の表面は平坦であり、したがって写像較正プロファイル２８として使用可能である。
【００８６】
図１０には、図９の射影変換較正プロファイル３２の一部の平面図を示す。図１０から分かるように、第１の制御線３８は横方向次元ｙ’と第１の角度α１を成し、第２の制御線は横方向次元ｙ’と第２の角度α２を成す。
【００８７】
第１と第２の角度α１、α２は次式に従って決定される。
【数３４】
0005140761.tif 000035
および
【数３５】
0005140761.tif 000036
【００８８】
パラメータｘ’１、ｘ’２、ｘ’３、ｘ’４は第１と第２の制御線３８、４０の端点に対応し（図１０参照）、ｗは射影変換較正プロファイル３２の厚さ（すなわち横方向次元ｙ’の広がり）である。光平面が図１０に示す射影変換較正プロファイル３２の部分にぶつかると、第１および第２の部分の距離ｄ１、ｄ２が決定され、光平面１８に対する射影変換較正プロファイル３２の傾斜を決定する際にこれら距離ｄ１、ｄ２を使用することができる。第１の部分の距離ｄ１は谷３４”から第１の制御線３８までの光平面１８内の距離として定義され、第２の部分の距離ｄ２は谷３４”から第２の制御線４０までの距離として定義される。第１および第２の部分の距離ｄ１、ｄ２を図１１に示す。さらに図１２には、射影変換較正プロファイル３２に関する光平面１８の広がりに関係する２つのパラメータ、すなわち、光平面１８と射影変換較正プロファイル３２上の物体（図１２における谷３４”）との横方向次元ｙ’の交点ｙ’１およびスキュー角度θ（すなわち、レーザ平面１８と長手方向次元ｘ’との角度）を示す。
【００８９】
当業者により理解されるように、スキュー角度θは光平面内の射影変換較正プロファイル３２上の２点（例えば谷３４”と頂点’３６）間の実際の距離を得るために実際に使用されるので、スキュー角度θについての情報は、光平面１８に対する較正面Ｐ’の任意の傾斜を補償する際の有益な情報となり得る。第１および第２の制御線３８、４０がα１＝−α２＝αとなるように配向されると、第１および第２の部分の距離ｄ１、ｄ２は次式に従って決定される。
【数３６】
0005140761.tif 000037
ここで、
【数３７】
0005140761.tif 000038
【００９０】
上記式２７に使用される演算子ｓｇｎ（α）は、ｓｇｎ（α）＝１（α＞＝０の場合）、ｓｇｎ（α）＝−１（α＜０の場合）となるように角度αの符号を示す。上記から理解されるように、式２７と式２８から得られたスキュー角度θの測定は、射影変換較正プロファイル３２の限定された部分だけからの測定値に基づく。このため、光平面１８に対する較正面Ｐ’の傾斜の補償の精度を上げるためには、より大きい部分または射影変換較正プロファイル３２の全体からの測定データが傾き補償を決定する際に使用されることが好ましい。射影変換較正プロファイル３２のより大きい部分を考慮する方法の例を以下に提示する。
【００９１】
再び、光平面１８と射影変換較正プロファイル３２上の物体との横方向次元ｙ’の交点ｙ’１が示された図１２を参照する。先に示したように、射影変換較正プロファイル３２上の物体は谷３４”であってもよいが、交点は実際は光平面１８と頂点３６’との間にも形成される。以下の考察では、頂点３６’と光平面１８との交点ｙ’１の決定は同様のやり方で行うことができるので谷３４”と光平面１８との交点ｙ’１を決定することに焦点を合わせる。
【００９２】
まず、谷３４”と光平面１８との交点ｙ’１の値が分かれば図１２の第１および第２の部分の距離ｄ１、ｄ２は次のように決定されるということに留意されたい。
【数３８】
0005140761.tif 000039
および
【数３９】
0005140761.tif 000040
【００９３】
このため、谷３４”と光平面１８との交点ｙ’１の値は次式により決定される。
【数４０】
0005140761.tif 000041
【００９４】
前に議論したように、同様の式は、頂点３６’と光平面１８との交点ｙ’１に対し、必要な変更を加えて得られる。このため、光平面１８との交点ｙ’１は、射影変換較正プロファイル３２の複数の頂点と谷等の複数の物体に対し決定することができる。図１３は、複数の交点ｙ’１が決定された射影変換較正プロファイル３２の平面図である。ここで、図１３の各十字形はプロファイル３２の頂点と光平面１８との交点ｙ’１を示し、各円は谷と光平面１８との交点ｙ’１を示す。
【００９５】
したがって、頂点と光平面１８との複数の交点ｙ’１から、前述の交点（すなわち十字形部）を少なくとも最小自乗的やり方で接続する第１の傾斜線４２を生成することができる。同様のやり方で、谷と光平面１８との交点ｙ’１を接続する第２の傾斜線４４を生成することができる。
【００９６】
第１と第２の傾斜線４２、４４の延伸についての情報（例えば、線４２、４４間の相対的距離と線の傾斜）に基づき、光平面１８に対する較正面Ｐ’の傾斜を決定することができ、この傾斜は射影変換Ｈを決定する際に補償される。上に提示された補償を実行するために、射影変換Ｈは例えば第１および第２の部分の距離ｄ１、ｄ２を決定するために実際に必要であるということに留意されたい。この問題を克服するために、本発明の発明者らは、前述の傾斜を考慮することなく第１の射影変換行列Ｈ１を決定することができ、この第１の射影変換行列Ｈ１は傾斜を決定するためおよび決定された傾斜が考慮された第２の射影変換行列Ｈ２を得るために使用されるということを理解した。この手順は、射影変換行列Ｈ内の要素がＨｎ−１＝Ｈｎとなるかあるいは例えば
【数４１】
0005140761.tif 000042
と定義された誤差測度が好ましい値未満となるように収束するまでｎ回繰り返されてよい。
【００９７】
本発明による較正方法の提示はこれまで、固有パラメータ写像ＫをＫ＝Ｉのようにユニティ写像とみなすことができるという仮定を用いた。しかしながら、本発明の較正方法のいくつかのアプリケーションでは固有パラメータ写像Ｋを決定する必要がある。これがどのように行われ得るかの例を以下に提示する。
【００９８】
まず、式１により規定される光平面１８からセンサ面１５への写像を図１４に示す。ここでは写像Ｋ、Ｄ、Ｈがそれぞれ示される。図２と図１３を比較すると、図１３に示す方式による写像は歪んだ画像面内の点をセンサ面に写像するために固有パラメータ写像Ｋである追加の写像Ｋを含むということが理解される。固有パラメータ写像Ｋにより捕捉され得る現象としては限定するものではないが、センサ１４の形状と光学素子２２に関するセンサ１４の位置とが挙げられる。
【００９９】
前述のパラメータを考慮する固有パラメータ写像行列Ｋは、次のように公式化することができる。
【数４２】
0005140761.tif 000043
ここで、αｕ、αｖは、歪んだ画像面内の幾何学的点がセンサ１４内の画素に変換されるようにｕおよびｖ次元における尺度を定義する。上に定義したパラメータｓはセンサ自身の歪度に関係し、センサを構成する画素の行と列が直交していないときは非零である。パラメータｕ０とｖ０はセンサの主点に関係する。当業者により理解されるように、式３２に定義されるＫのパラメータのいずれも本発明の較正方法の１つまたは複数の追加工程において決定することができる。
【０１００】
また、いくつかの測定システム１０では、センサ１４は実際は、光学素子２２により規定された平面（通常、レンズ平面または焦点面と称され、光学素子２２の主軸に垂直に延びる平面として定義される）に対し傾斜される。傾斜の目的は、光平面１８のより大きな部分（好ましくはセンサ１４により撮像される光平面１８の全体部分上）の焦点を得ることである。傾斜されたセンサ１４を有する測定システム１０の例を図１５に概略的に示す。
【０１０１】
しかしながら、本発明の較正方法の実施形態は、センサ１４がレンズ平面に平行であるという仮定を少なくとも暗黙的に用いた。このため、レンズ平面に対するセンサ１４の任意の傾斜を補償するために、レンズ平面に平行な仮想画像面４６が最初に導入される。したがって先の較正方法は、仮想画像面４６から光平面１８への適切な写像を提供する方法と見なされてよい。レンズ平面に対しセンサ１４を傾斜する原理はScheimpflug原理と呼ばれることがある。
【０１０２】
光平面１８からセンサ１４への写像を得るために、画像面４６とセンサ１４間の追加の射影変換が必要である。この射影変換は、光平面１８と理想センサ面に関し上に提示されたのと同様の方法により得られ、本明細書ではさらに説明しない。
【０１０３】
本発明の別の変形形態は本発明の範囲内で実現可能である。このため、本発明は本明細書に記載の実施形態と添付図面により限定されるものと考えてはならない。むしろ、本発明の完全な範囲は本明細書と添付図面を参照し添付の特許請求範囲により決定されなければならない。
【図１】
0005140761.tif 000044
【図２】
0005140761.tif 000045
【図３】
0005140761.tif 000046
【図４Ａ】
0005140761.tif 000047
【図４Ｂ】
0005140761.tif 000048
【図５Ａ】
0005140761.tif 000049
【図５Ｂ】
0005140761.tif 000050
【図６】
0005140761.tif 000051
【図７】
0005140761.tif 000052
【図８Ａ】
0005140761.tif 000053
【図８Ｂ】
0005140761.tif 000054
【図９】
0005140761.tif 000055
【図１０】
0005140761.tif 000056
【図１１】
0005140761.tif 000057
【図１２】
0005140761.tif 000058
【図１３】
0005140761.tif 000059
【図１４】
0005140761.tif 000060
【図１５】
0005140761.tif 000061